(57)【要約】【課題】ジャミング発生時の仕掛かり用紙に対して何らかの識別マークを施し、サブトレイに排出されたその用紙が詐取されたとしても使用ができない構成の用紙後処理装置を有する画像形成装置とその動作を規制するプログラムを提供。【解決手段】用紙後処理装置は入口部と排紙部とに用紙の通過を検知する入口センサ及び出口センサ、用紙にファイル孔を穿孔処理する穿孔手段、用紙を搬送する用紙搬送手段、用紙の排出先を切り替えるための切り替えゲート、該切り替えゲートの下流側に、排出される用紙を収納する複数のトレイを備え、該トレイの内の排出されているトレイ側の排紙部の出口センサがジャムを検知した時、上流の用紙に対して穿孔処理を所定位置から外れた位置に行い、用紙搬送経路を切り替えて該用紙を他のトレイに排出することを特徴とする画像形成装置。【選択図】        図７
2004354824.tif 000002
【特許請求の範囲】
【請求項１】
画像形成済みの用紙を導入し、該用紙に対して後処理を行う用紙後処理装置を有し、
該用紙後処理装置は、入口部と排紙部とにそれぞれ用紙の通過を検知する入口センサ及び出口センサと、
用紙の所定位置にファイル孔を穿孔処理する穿孔手段と、
用紙を搬送する用紙搬送手段と、
用紙の排出先を切り替えるための切り替えゲートと、
該切り替えゲートの下流側に、排出される用紙を収納載置できる複数のトレイとを備え、
該トレイの内の排出されているトレイを有する排紙部の出口センサがジャミングを検知した時、前記用紙後処理装置より上流側に有った画像形成済み用紙に対して穿孔処理を所定位置から外れた位置に行い、用紙搬送経路を切り替えて該用紙を他のトレイに排出することを特徴とする画像形成装置。
【請求項２】
前記用紙が排出されているトレイとは、メイントレイであり、他のトレイが、サブトレイであることを特徴とする請求項１に記載の画像形成装置。
【請求項３】
前記穿孔処理は、複数回行われることを特徴とする請求項１又は請求項２に記載の画像形成装置。
【請求項４】
画像形成装置のコンピュータを、
用紙後処理装置排紙部でのジャミング時の検知情報を、画像形成済み用紙の強制排紙を選択するための情報として機能させ、
強制排紙を選択した時、用紙後処理装置の入口センサによる前記画像形成済み用紙先端の検知情報を、穿孔処理及び切り替えゲートの切り替えを選択するための情報として機能させる、
手段として機能させることを特徴とするプログラム。
【請求項５】
前記コンピュータを、強制排紙と、前記画像形成済み用紙の枚数データとを対応付けする手段として機能させることを特徴とする請求項４に記載のプログラム。
【請求項６】
前記穿孔処理は、複数回行われることを特徴とする請求項４又は請求項５に記載のプログラム。
【発明の詳細な説明】
【０００１】
【発明の属する技術分野】
本発明は、電子写真複写機、プリンタ、ファクシミリ、及びこれらの諸機能を有する複合機等の画像形成装置から画像が形成されて、排出される用紙を受け入れ、その用紙に対して、穿孔処理等を行う用紙後処理装置を有する画像形成装置に関し、特に用紙のジャミング時、仕掛かり状態にある用紙への穿孔処理とその用紙の排出処理に係わる。
【０００２】
【従来の技術】
電子写真複写機等の画像形成装置により画像が記録されて、排出される用紙に対して、用紙を綴じるファイル孔の穿孔処理、折り処理、及び綴じ合わせ（ステープル）処理等の後処理後、該用紙を、昇降排紙台であるメイントレイや、固定排紙台であるサブトレイに積載する用紙後処理装置が提供されている。
【０００３】
特許文献１に開示の用紙後処理装置は、自動原稿搬送装置を有する画像形成装置から排出されてくる、画像形成された用紙を受け入れ、用紙後処理装置内で左方向へ搬送するための略水平な搬送路と、該搬送路の左斜め下側にあって、搬送された所定枚数の用紙をステープル処理するために積載しておく傾斜配置の用紙収納手段と、ステープル処理されて用紙束となった用紙を該用紙収納手段に沿って上方へ排出する用紙排出部と、前記用紙収納手段の下流側に配置され、上下方向に移動可能で、排出される用紙束を積載できるメイントレイとで構成されている。
【０００４】
前記自動原稿搬送装置でのジャミングで、用紙に画像が形成された正常な用紙と画像が形成されていない不要な用紙とが発生する。また、両面複写の実施中に、その両面複写のミスに気付き画像形成装置を緊急停止操作した場合にも、既に両面に画像が形成された正常な用紙と、片面のみに画像形成の不要な用紙とが発生する。
【０００５】
該ジャミングや緊急停止操作等に伴い、前記用紙後処理装置では、画像形成装置の制御手段からの制御信号を受け、該信号に対応して、正常な用紙と不要な用紙とを判別し、正常な用紙は用紙収納手段に送り込まれてからの整合動作後、ステープル処理された用紙束として、また、不要な用紙は用紙収納手段に送り込まれるのみで整合されず、用紙排出部の動作でメイントレイに排出される構成となっている。
【０００６】
【特許文献１】
特許第２８４６８０７号公報（図２及び図４を参照）
【０００７】
【発明が解決しようとする課題】
しかしながら、上記構成のみでは、下記のような問題に対応できない。
【０００８】
例えば、コンビニや図書館等に設置されている画像形成装置を使ってのコピー操作時、ジャミングが生じた場合の後続用紙を不要な用紙として扱い、この用紙は、印刷品質が確保できない可能性があるとの理由から課金の対称外、即ち無料とされている。
【０００９】
従って、使用者が、作為的にメイントレイ側に形成されている、用紙後処理装置側面の排出開口部を塞いで、ジャミングを発生させ、画像形成装置本体内に既に送り込まれている用紙、即ち、仕掛かり用紙を、
（１）特許文献１の如くメイントレイに用紙を整合せず排出させたり、
（２）メイントレイとサブトレイとを有する用紙後処理装置では、該装置に備わっている強制排紙機能を作動させ不要な用紙としてサブトレイに排出させた場合、上記（１）（２）のような作為的な不正行為にかかわらず
（３）複数の者が、サブトレイをプリンタの受け台として選択使用している状態では、サブトレイに積載される用紙が正常な用紙であるのか、強制排紙による不要な用紙として排出されたものであるかの区別がつかない。
【００１０】
何れのケースでもサブトレイに排紙される用紙が課金の対称にならないことを狙って、使用者により作為的に不要な用紙として排出される、この正常な仕掛かり用紙が詐取、即ち、ただ取りされてしまうという問題がある。
【００１１】
本発明は、上記の問題に鑑みてなされたもので、その主たる目的は、ジャミング発生時の仕掛かり用紙に対して何らかの識別マークを施し、サブトレイに排出された、その用紙が詐取されたとしても、使用ができない状態にできる構成の用紙後処理装置を有する画像形成装置、及びその動作を規制するプログラムを提供することにある。
【００１２】
【課題を解決するための手段】
上記課題は、本発明の以下に示す構成により達成することができる。
【００１３】
（１）画像形成済みの用紙を導入し、該用紙に対して後処理を行う用紙後処理装置を有し、該用紙後処理装置は、入口部と排紙部とにそれぞれ用紙の通過を検知する入口センサ及び出口センサと、用紙の所定位置にファイル孔を穿孔処理する穿孔手段と、用紙を搬送する用紙搬送手段と、用紙の排出先を切り替えるための切り替えゲートと、該切り替えゲートの下流側に、排出される用紙を収納載置できる複数のトレイとを備え、該トレイの内の排出されているトレイを有する排紙部の出口センサがジャミングを検知した時、前記用紙後処理装置より上流側に有った画像形成済み用紙に対して穿孔処理を所定位置から外れた位置に行い、用紙搬送経路を切り替えて該用紙を他のトレイに排出することを特徴とする画像形成装置。
【００１４】
（２）前記用紙を排出されているトレイとは、メイントレイであり、他のトレイが、サブトレイであることを特徴とする（１）に記載の画像形成装置。
【００１５】
（３）前記穿孔処理は、複数回行われることを特徴とする（１）又は（２）に記載の画像形成装置。
【００１６】
（４）画像形成装置のコンピュータを、用紙後処理装置排紙部でのジャミング時の検知情報を、画像形成済み用紙の強制排紙を選択するための情報として機能させ、強制排紙を選択した時、用紙後処理装置の入口センサによる前記画像形成済み用紙先端の検知情報を、穿孔処理及び切り替えゲートの切り替えを選択するための情報として機能させる、手段として機能させることを特徴とするプログラム。
【００１７】
（５）前記コンピュータを、強制排紙と、前記画像形成済み用紙の枚数データとを対応付けする手段として機能させることを特徴とする（４）に記載のプログラム。
【００１８】
（６）前記穿孔処理は、複数回行われることを特徴とする（４）又は（５）に記載のプログラム。
【００１９】
【発明の実施の形態】
次に、本発明の用紙後処理装置、及び用紙後処理装置を有する画像形成装置を図面に基づき説明する。
【００２０】
図１は、用紙後処理装置を有する画像形成装置の全体構成図である。
画像形成装置本体Ａは、回転する像胆持体１の周囲に、帯電手段２、像露光手段３、現像手段４、転写手段５Ａ、除電手段５Ｂ、分離爪５Ｃ、及びクリーニング手段６を配置した画像形成部ＧＫを有し、帯電手段２によって像胆持体１の表面に一様帯電を行った後に、像露光手段３のレーザビームによってコピーする原稿Ｇｅから読み取られた画像データに基づく露光操作が行なわれ潜像を形成し、該潜像を現像手段４により反転現像をして像胆持体１の表面にトナー像を形成する。
【００２１】
一方、給紙収納手段である給紙トレイ７Ａから給紙された画像記録用紙（以下、用紙と称す）Ｓは転写位置へと送られ、転写位置において転写手段５Ａにより前記トナー像が用紙Ｓ上に転写される。その後、用紙Ｓは除電手段５Ｂにより裏面の電荷が消去され、分離爪５Ｃにより像胆持体１から分離され、中間搬送部７Ｂにより搬送され、引き続き定着手段８により加熱定着され、排紙ローラ７Ｃにより排出される。
【００２２】
なお、用紙Ｓの片面に画像形成を行う場合には、用紙搬送手段の一つである搬送路切り替え板７Ｄが点線表示状態の位置に切り替えられている。
【００２３】
また、像胆持体１の画像形成後の表面は、分離爪５Ｃの下流においてクリーニング手段６により表面に残留している現像剤、即ちトナーが除去され、次の画像形成に備える。
【００２４】
一方、用紙Ｓの両面に画像形成を行う場合には、搬送路切り替え板７Ｄを実線表示状態の位置に切り替えることにより、定着手段８により加熱定着された用紙Ｓは下方に搬送され、用紙搬送手段の一つである反転搬送手段７Ｅにおいてスイッチバックして表裏反転された後、転写位置において新たなトナー像が裏面に転写される。
【００２５】
更に後述するように、穿孔処理、折り処理、及び綴じ合わせ処理等を行うときには、搬送路切り替え板７Ｄを実線表示状態の位置に切り替えることにより、定着手段８により加熱定着された用紙Ｓは下方に搬送され、反転搬送手段７Ｅにおいてスイッチバックして表裏反転された用紙は、次に、用紙後端を先頭にして上昇し、排紙ローラ７Ｃにより排出される。
【００２６】
何れの場合も、排紙ローラ７Ｃから排出される用紙Ｓは用紙後処理装置ＦＳに送り込まれる。
【００２７】
なお、画像形成装置本体Ａの上部前面側には、画像形成モード、用紙後処理モード等の各種を選択して設定できる操作表示部９が配置されており、画像形成装置本体Ａの上部には、原稿移動型読み取り方式の自動原稿搬送装置Ｇを備えた画像読取部である画像読み取り装置Ｂが設置されている。該画像読み取り装置Ｂの図示しない撮像素子ＣＣＤに読みとられた原稿の画像信号は各種の処理がなされ画像データとして後記のメモリであるＲＡＭ１２０にストアされると共に画像形成装置本体Ａ内に送り込まれている用紙、即ち仕掛かり用紙Ｓの数量もストアされている。
【００２８】
用紙後処理装置ＦＳでは、穿孔処理、折り処理、綴じ合わせ処理等の少なくとも一つの後処理が用紙Ｓに対して行われる。
【００２９】
図示の上段に第１給紙手段２０Ａと第２給紙手段２０Ｂとサブトレイなる固定排紙台３０とが配置され、中段に穿孔手段４０とシフト手段５０と排紙手段６０がほぼ水平をなす同一平面上に直列配置され、下段に綴じ手段７０と折り手段８０が傾斜面をなす同一平面上に直列配置されている。
【００３０】
又、用紙後処理装置ＦＳ内の図の右方中央部近くの側面には、後述する画像形成装置本体Ａの制御手段とシリアル通信を行う制御手段９０を備える制御ボックス９０Ａが設けられ、図の左方向には、シフト処理済みの用紙、及び端綴じ合わせ（ステープル）処理済みの用紙束を積載するメイントレイなる昇降排紙台９１と、三つ折り若しくは二つ折りに折り処理された用紙束Ｔを積載する固定排紙台９２とが配置されている。
【００３１】
ジャミング発生時、本発明に係わる、画像形成装置本体Ａ内に送り込まれている仕掛かり用紙Ｓに対するサブトレイへの強制排紙処理の制御手段の制御については、図７以降で説明する。また、該制御手段とは、後記のコンピュータ即ちＣＰＵ９０、及びＣＰＵ１００とで構成されている。
【００３２】
ここで、用紙後処理装置ＦＳの構成を図２に基づいて説明する。図２は、用紙後処理装置ＦＳの断面図である。
【００３３】
画像形成装置本体Ａの排紙ローラ７Ｃから排出される用紙Ｓは、用紙後処理装置ＦＳの入口部１１に導入される。なお、用紙Ｓの入口部１１は画像形成装置本体Ａの排紙ローラ７Ｃと合致するように位置と高さが調節されている。
【００３４】
また、入口部１１には、画像形成装置本体Ａから画像形成された用紙Ｓと、第１給紙手段２０Ａから供給されて用紙束間に挿入される合紙（インターシート）Ｋ１と、第２給紙手段２０Ｂから供給されて用紙束の表紙となる表紙用紙Ｋ２とが供給される。
【００３５】
第１給紙手段２０Ａの給紙皿内に収容された合紙Ｋ１は、給紙部２１により分離、給送され、搬送ローラ２２，２３，２４に狭持されて入口部１１に導入される。また、第２給紙手段２０Ｂの給紙皿内に収容された表紙用紙Ｋ２は、給紙部２５より分離、給装され、搬送ローラ２３，２４に狭持されて入口部１１に導入される。該給紙部２１、２５には、合紙Ｋ１の通過を検知する通過検知センサＰＳ３や表紙用紙Ｋ２の通過を検知する通過検知センサＰＳ４が配置され、該入口部１１には、合紙Ｋ１や表紙用紙Ｋ２、及び用紙Ｓの通過を検知する通過検知センサＰＳ１である入口センサ（後記する信号入力手段Ｉ）が配置されている。１４０は用紙後処理装置ＦＳの側面フレームである。
【００３６】
入口部１１の用紙搬送方向下流側には、穿孔手段４０が配置されている。
図３は、穿孔手段等の拡大断面図である。図３において、穿孔手段４０は、駆動源のモータＭ１により回転駆動される円板４１、円板４１の偏芯位置に一端が係止されたクランク４２、クランク４２により昇降駆動されるパンチ４３、パンチ４３の刃部に嵌合するダイ４４を有する。
【００３７】
パンチ４３とダイ４４による穿孔処理位置の用紙搬送方向上流側には、搬送ローラ４５が、穿孔処理位置の用紙搬送方向下流側には、搬送ローラ４６がそれぞれ配置されている。
【００３８】
図４は、穿孔手段により穿孔処理された用紙の各種例を示す平面図である。
図４（ａ）は用紙Ｓの側縁辺近傍の所定位置に２ヶ所のファイル用の孔ｈを穿孔した例、図４（ｂ）は用紙Ｓの側縁辺近傍の所定位置に３ヶ所のファイル用の孔ｈを穿孔した例、図４（ｃ）は用紙Ｓの側縁辺近傍の所定位置に４ヶ所のファイル用の孔ｈを穿孔した例を示す。
【００３９】
これらの孔ｈの間隔は規格化されている。又、用紙Ｓの側縁辺ｄから孔ｈまでの穿孔端面距離ｅは、任意に設定できるが、一般には９〜１１ｍｍである。
【００４０】
図２及び図３に戻る。穿孔手段４０の用紙搬送方向下流側には、切り替えゲートＧ１，Ｇ２からなる用紙分岐手段が設けられている。切り替えゲートＧ１，Ｇ２は図示しないソレノイドの駆動により、三つの搬送路からなる用紙搬送手段９５、即ち、上段排紙用の第１搬送路▲１▼、中段の第２搬送路▲２▼、下段の第３搬送路▲３▼の何れかに選択的に分岐させ得る。
【００４１】
ここで、単純排紙が設定されると、切り替えゲートＧ１は第２搬送路▲２▼、第３搬送路▲３▼を遮断し、第１搬送路▲１▼のみを開放する。用紙Ｓは、第１搬送路▲１▼を進み、下流側にある搬送ローラ３１に狭持されて上昇し、排出ローラ３２により排出され、サブトレイ３０上に順次、積載される。
【００４２】
なお、サブトレイ３０には最大２００枚の用紙Ｓを積載可能である。
また、シフト処理モードが設定されると、切り替えゲートＧ１は上方に退避して第１搬送路▲１▼を遮断し、切り替えゲートＧ２は第３搬送路▲３▼を遮断し、第２搬送路▲２▼を開放し用紙Ｓの通過を可能にする。そして、切り替えゲートＧ１，Ｇ２の間を通るように用紙Ｓを案内する。
【００４３】
画像形成装置本体Ａより排出された画像形成済みの用紙Ｓ、第１給紙手段２０Ａから給送された合紙Ｋ１、又は第２給紙手段２０Ｂから給送された表紙用紙Ｋ２は、切り替えゲートＧ１，Ｇ２間、及び第２搬送路▲２▼を通過して、シフト手段５０により用紙搬送方向に直行する方向、即ち、幅方向にシフト処理され、搬送ローラ５１により搬送される。
【００４４】
シフト手段５０は所定の枚数毎に、幅方向に用紙Ｓの排紙位置を変えるシフト処理を行う。シフト処理された用紙Ｓは、排紙手段６０により機外のメイントレイ９１に排出され順次、収納載置される。このメイントレイ９１は多数枚の用紙Ｓを積載する場合には、順次下降するように構成されており、Ａ４やＢ５の場合、最大３０００枚を収容可能である。
【００４５】
前記排紙手段６０を構成する排紙ローラ６１とそのニップローラ６２の近傍には、メイントレイ９１に排紙される用紙Ｓの通過を検知する通過検知センサＰＳ２、即ち出口センサ（後記する信号入力手段Ｉ）が配置されている。
【００４６】
次に、綴じ合わせ処理について図２、及び図５を参照しながら説明する。
図５は、綴じ手段と折り手段からなる後処理ユニットの拡大断面図である。
【００４７】
図１の操作表示部９にて綴じ合わせ処理、若しくは、折り処理が設定されると、用紙後処理装置ＦＳの入口部１１に送り込まれた画像形成済み用紙Ｓは、穿孔手段４０を通過し、切り替えゲートＧ２の下方の第３搬送路▲３▼に送り込まれ、搬送ローラ１２に狭持されて下方に搬送され、次いで搬送ローラ１４に狭持されて搬送される。更に、下流のレジストローラ１５により狭持されて傾斜配置の用紙収納手段である中間スタッカ７１の上方空間に排出され、中間スタッカ７１、若しくは中間スタッカ７１上に積載済みの用紙Ｓの上面に接しながら、斜め上方に搬送される。
【００４８】
搬送される用紙Ｓの進行方向に対する後端部がレジストローラ１５の狭持位置から排出された後、用紙Ｓは自重により下降に転じ、中間スタッカ７１の傾斜面上を滑空し、綴じ手段７０近傍の端綴じストッパ７２の用紙突き当て面に用紙Ｓの後端部が当接して停止する。
【００４９】
７３は、中間スタッカ７１の両側面に移動可能に設けた一対の幅整合部材である。幅整合部材７３は用紙搬送方向と直行する方向に移動可能であり、中間スタッカ７１上への用紙Ｓの受け入れ時には、用紙幅より広く開放され、端綴じストッパ７２に当接して停止するときには、用紙Ｓの幅方向を軽打して用紙束の幅揃え、即ち、幅整合を行う。
【００５０】
この停止位置において、中間スタッカ７１上に予定枚数（例えば３枚）が積載され、整合されると、綴じ手段７０により綴じ合わせ即ちステープル処理がなされ、用紙束Ｓ１を形成する。
【００５１】
図６（ａ）は、用紙Ｓの側縁辺近傍で中央振り分け２ヶ所に綴じ針ＳＰを打針する平綴じ合わせ処理を示す平面図、図６（ｂ）は、用紙Ｓのコーナ部近傍の１ヶ所に綴じ針ＳＰを打針する端綴じ合わせ処理を示す平面図である。
【００５２】
用紙排出部は、駆動プーリ７４Ａと従動プーリ７４Ｂと該両プーリに卷回する排出ベルト７４Ｃ等から構成されている。
【００５３】
中間スタッカ７１の用紙積載面の一部には切り欠き部が形成されていて、駆動プーリ７４Ａと従動プーリ７４Ｂに巻回された複数の排出ベルト７４Ｃが回動する。排出ベルト７４Ｃの一部には、排出爪７４Ｄが一体に形成されていて、その先端部は、図５に示す一点鎖線のように長円軌跡を描く。
【００５４】
綴じ合わせ処理された用紙束Ｓ１は、排出ベルト７４Ｃの排出爪７４Ｄにより用紙束Ｓ１の後端部が受け留められ、排出ベルト７４Ｃ上に載せられ、中間スタッカ７１の載置面上を滑走しながら斜め上方に押し上げられ、排紙手段６０の狭持位置に進行する。回転駆動する排紙手段６０（排紙部とも言う）に狭持された用紙束Ｓ１は、メイントレイ９１に排出され、積載載置される。
【００５５】
本発明の画像形成装置用プログラムと該プログラムで規制（動作制御）される、用紙後処理装置ＦＳと画像形成装置本体Ａと該装置Ａ内の仕掛かり用紙Ｓに対する穿孔手段４０による穿孔処理（パンチングとも言う）について図７と図８とを使い説明する。
【００５６】
図７は、本発明に係わる強制排紙処理時の制御手段の制御を示すフローチャートで、図８は、プログラムで規制（動作制御）される用紙後処理装置と画像形成装置本体のブロック図である。図１０は、従来の強制排紙処理時の制御手段の制御を示すフローチャートである。
【００５７】
図８のブロック図は、用紙後処理装置ＦＳと画像形成装置本体Ａとから構成されている。画像形成装置本体ＡのＣＰＵ（Ｃｅｎｔｏｒａｌ  Ｐｒｏｃｅｓｓｉｎｇ  Ｕｎｉｔ）からなる制御手段１００は、各種の表示手段、及び各種モードを選択して設定できる入力手段を有する操作表示部９と、ＲＯＭ（Ｒｅａｄ  Ｏｎｌｙ  Ｍｅｍｏｒｙ）１１０、ＲＡＭ（Ｒａｎｄｏｍ  Ａｃｃｅｓｓ  Ｍｅｍｏｒｙ）１２０、強制排紙１３０、シリアル通信手段１０１、画像形成部ＧＫ、画像読取部Ｂ、搬送反転手段７Ｅ等を含む用紙搬送手段１０７、給紙収納手段である給紙トレイ７Ａおよび定着手段８および自動原稿搬送装置Ｇ等を制御する。
【００５８】
ＣＰＵからなる用紙後処理装置ＦＳの制御手段９０は、前記通信手段１０１との制御信号を送受信できるシリアル通信手段９０Ｂ、穿孔手段４０、用紙Ｓの搬送路を切り替えるための切り替えゲートＧ１，Ｇ２、シフト手段５０、綴じ手段７０、メイントレイ９１やサブトレイ３０への各搬送路を有する用紙搬送手段９５、入口センサＰＳ１や出口センサＰＳ２等を有する信号入力手段Ｉ、タイマＴ１〜Ｔｎなどを有する信号入力手段ＩＩ、及び排紙手段（排紙部）６０とを制御する。
【００５９】
該ＣＰＵ１００は、ＲＯＭ１１０に記憶されている本発明のプログラムやＲＡＭに記憶される情報を読み取り、データの処理や演算を行い、各手段に制御信号を送信する。該ＣＰＵ９０も同様の機能を有する。
【００６０】
尚、ここでは、本発明のプログラムは、画像形成装置本体Ａに有しているもので説明するが、該プログラムは、画像形成装置本体Ａに接続していなくて、ラン（ＬＡＮ）やインターネット上のパソコンが有していても良く、該パソコン側にあるプログラムをＬＡＮ等の通信媒体を介して制御しても良い。
【００６１】
従来例では図１０に示すように、連続コピー中、シフト処理された用紙Ｓ、或いは穿孔処理等の後処理がなされた用紙束Ｓ１（図２、図５参照）が、搬送されてきて、該用紙先端がメイントレイ９１側の排紙部６０近傍に配置されている出口センサＰＳ２下に到達すると用紙Ｓが検知される。
【００６２】
該検知結果に従って図示しないタイマが作動し、該タイマの設定時間、例えば１秒に対し、オーバカウントになるとＣＰＵ９０が排紙部６０での紙つまり、即ちジャミングが発生したと判断し制御信号を発信する。
【００６３】
この制御信号は、シリアル通信手段９０Ｂからシリアル通信手段１０１を経てＣＰＵ１００を介して強制排紙１３０に送信され、強制排紙モード＝１に移行する構成である。
【００６４】
従来のフローチャートのステップ（ＳＴ）では、この構成を熟知した使用者が、メイントレイ９１側の側面フレーム１４０に形成されてる図示しない排出開口部を作為的に手で塞ぐことで、用紙Ｓ、或いは用紙束Ｓ１が留められ該用紙等を出口センサＰＳ２が検知し、この検知信号を介して、前記タイマのオーバカウント後、強制排紙モード＝１なるフラッグを立てる（ＳＴ１）。
【００６５】
既に、画像形成装置本体Ａ内に送り込まれている仕掛かり用紙Ｓが用紙後処理装置ＦＳの入口部１１に導入され、入口センサＰＳ１に用紙先端が到達し検知される（ＳＴ２）と、入口エッジ＝１なるフラッグを立てる（ＳＴ３）。
【００６６】
次に、図示しないソレノイドが駆動され、切り替えゲートＧ１をサブトレイ３０側に切り替えて該用紙Ｓの搬送を可能とし（ＳＴ４）、用紙Ｓはサブトレイ３０に排出されると共に入口エッジ＝０、即ちフラッグが下ろされる（ＳＴ５）。
【００６７】
仕掛かり用紙Ｓの残りが有れば（ＳＴ６）、ＳＴ２に戻り、このサイクルが繰り返されて用紙Ｓはサブトレイ３０上に排出される。
【００６８】
そして、用紙Ｓが無くなれば、強制排紙モード＝１のフラッグが下ろされ（ＳＴ７）、このモードは終了する。
【００６９】
斯様なサイクルで排出されたパンチングされない仕掛かり用紙は、画像が形成された正常な用紙Ｓであり、この用紙が、ただ取りされてしまうことになる。
【００７０】
図７を説明する。排紙部６０でのジャミングで信号入力手段Ｉの出口センサＰＳ２による検知信号が、シリアル通信手段９０Ｂからシリアル通信手段１０１を経てＣＰＵ１００から強制排紙１３０に送信され、強制排紙モード＝１のフラッグが立てられる（ＳＴ１０）。
【００７１】
これに伴いＣＰＵ１００は、ＲＯＭ１１０からプログラムを読み込み、自動原稿搬送装置Ｇからの新たな用紙Ｓの搬送を停止し、ＲＡＭ１２０にストアされている仕掛かり用紙Ｓの枚数データに関する制御信号を必要な部位に順次送信する。この状態で、該用紙Ｓの用紙先端が信号入力手段Ｉの入口センサＰＳ１に到達し検知される（ＳＴ１１）と、入口エッジ＝１のフラッグが立てられる（ＳＴ１２）。この入口エッジ＝１と強制排紙モード＝１との論理積条件に従って、仕掛かり用紙Ｓの中央部近傍、即ち用紙Ｓのファイル孔の所定位置から外れた位置（図９（ｂ）参照）に孔をパンチングするためのタイマＴ１がセットされる（ＳＴ１３）、ほぼ同時に、図示しないソレノイドが駆動され、切り替えゲートＧ１をサブトレイ３０側にし（ＳＴ１４）、入口エッジ＝０に移行する（ＳＴ１５）。
【００７２】
第１搬送路▲１▼に搬送されつつある仕掛かり用紙Ｓが、パンチングされ得る位置で停止して、タイマＴ１がカウントアップすれば（ＳＴ１６−１）、駆動源モータＭ１を回転駆動しパンチ４３を昇降駆動させ該用紙Ｓに孔ｈが開けられる（ＳＴ１７−１）。
【００７３】
図９（ｂ）のように、中央部近傍に２孔１対のみのパンチングがなされる場合には、ＳＴ１８に歩進し、仕掛かり用紙の残が無ければ強制排紙モードを解除する（ＳＴ１９）。
【００７４】
仕掛かり用紙の残が有り、即ち、ＲＡＭ１２０にストアされている枚数データが未処理であれば、ＳＴ１１に歩進してサイクルが繰り返して行われる。
【００７５】
また、パンチングが図９（ｃ）のように、複数回行われる場合は、タイマをｎ分設定して処理される。斯様な複数回のパンチングは、用紙サイズや用紙の流し方（例えばＡ４，Ａ４Ｒのように）に対応して設定される。
【００７６】
この場合には、ＳＴ１７−１の次にＳＴ１６−２、ＳＴ１７−２と歩進する。
他のステップについては、２孔１対のパンチングと同様に行われる。
【００７７】
また、第１給紙手段２０Ａ及び第２給紙手段２０Ｂから給紙される、合紙Ｋ１や表紙用紙Ｋ２がある場合には、通過検知センサＰＳ３，ＰＳ４にて検知後、仕掛かり状態になった合紙Ｋ１や表紙用紙Ｋ２の枚数データがＲＡＭ１２０にストアされ、該枚数データに従った制御信号により該用紙が穿孔手段にてパンチングされて、サブトレイ３０に排出されるのは、画像形成装置本体Ａ内に有った仕掛かり用紙の場合と同様である。
【００７８】
尚、穿孔手段４０の下流側にある用紙Ｓは人手にて処理される。
図９は、仕掛かり用紙にパンチングした孔位置を説明するための図である。図９（ａ）は用紙の正常な位置にパンチングした図であり、図９（ｂ）は用紙の中央部近傍にパンチングした図であり、図９（ｃ）は用紙の中央部分の搬送方向の２カ所にパンチングした場合の図である。
【００７９】
各図では、用紙Ｓの画像形成面（ＡＢＣＤＥＦＧＨ文字のコピー面）に２孔１対のパンチ図で示したが、３孔１対、４孔１対等であっても良い。又、孔ｈの形状は、四角、三角、楕円、多角形等であっても良い。
【００８０】
以上の構成をとることで、不正行為により、用紙が詐取をされたとしても正常な用紙として使用の出来ない画像形成装置及びその動作を規制するプログラムを提供できた。
【００８１】
【発明の効果】
本発明により、ジャミング発生時、用紙後処理装置に搬送される仕掛かり用紙に対しパンチングを施し、該用紙が詐取されたとしても正常な用紙として使用の出来ない構成の画像形成装置及びその動作を規制するプログラムを提供できた。
【図面の簡単な説明】
【図１】用紙後処理装置を有する画像形成装置の全体構成図である。
【図２】用紙後処理装置の断面図である。
【図３】穿孔手段等の拡大断面図である。
【図４】穿孔手段により穿孔処理された用紙の各種例を示す平面図である。
【図５】綴じ手段と折り手段からなる後処理ユニットの拡大断面図である。
【図６】綴じ合わせ処理を示す平面図である。
【図７】本発明に係わる強制排紙処理時の制御手段の制御を示すフローチャートである。
【図８】プログラムで規制される用紙後処理装置と画像形成装置本体のブロック図である。
【図９】仕掛かり用紙にパンチングした孔位置を説明するための図である。
【図１０】従来の強制排紙処理時の制御手段の制御を示すフローチャーとである。
【符号の説明】
Ａ  画像形成装置（本体）
ＦＳ  用紙後処理装置
Ｓ  用紙
Ｓ１  用紙束
９  操作表示部
Ｇｅ  原稿
３０  サブトレイ
４０  穿孔手段
９０，１００  ＣＰＵ
９１  メイントレイ
ＰＳ１，ＰＳ２，ＰＳ３，ＰＳ４  通過検知センサ
ｈ  孔
Ｇ１，Ｇ２  切り替えゲート
９０Ｂ，１０１  通信手段
１１０  ＲＯＭ
１２０  ＲＡＭ
【図１】
2004354824.tif 000003
【図２】
2004354824.tif 000004
【図３】
2004354824.tif 000005
【図４】
2004354824.tif 000006
【図５】
2004354824.tif 000007
【図６】
2004354824.tif 000008
【図７】
2004354824.tif 000009
【図８】
2004354824.tif 000010
【図９】
2004354824.tif 000011
【図１０】
2004354824.tif 000012